(57)【要約】【課題】粘着テープ等を使用しないでスピーカワイヤを確実に固定でき、そのため部品点数及び組立工数を削減してコストダウンを図ることができる液晶テレビを提供する。【解決手段】液晶モジュールの背面に固定された配線基板４にジャックホルダー５を取付け、ジャックホルダー５にワイヤ掛止部５ａを形成して、このワイヤ掛止部５ａに片方のスピーカ３のワイヤ３ａを掛止させた構成の液晶テレビとする。スピーカワイヤ３ａはワイヤ掛止部５ａに確実に固定され、粘着テープ等で固定する必要がなくなるので、部品点数及び組立工数が削減されてコストダウンが図られる。【選択図】図３
2009038780.tif 000002
【特許請求の範囲】
【請求項１】
フロントキャビネットの開口部に液晶モジュールを取付け、フロントキャビネットの両側部にスピーカを取付け、液晶モジュールの背面に固定された配線基板にジャックホルダーを取付け、ジャックホルダーを露出させる切欠部が形成されたリアキャビネットをフロントキャビネットに接合して取付けた液晶テレビにおいて、
上記ジャックホルダーにワイヤ掛止部を形成し、このワイヤ掛止部に片方のスピーカのワイヤを掛止したことを特徴とする液晶テレビ。
【請求項２】
上記ワイヤ掛止部を上記ジャックホルダーの下端部に形成したことを特徴とする請求項１に記載の液晶テレビ。
【請求項３】
上記ワイヤ掛止部を、フック形状又は凹溝形状に形成したことを特徴とする請求項１又は請求項２に記載の液晶テレビ。
【発明の詳細な説明】
【技術分野】
【０００１】
本発明は液晶テレビに関し、特に、スピーカのワイヤを邪魔にならないように引き回して確実に固定できるように改良した液晶テレビに関する。
【背景技術】
【０００２】
従来より、液晶テレビの一つとして、フロントキャビネットの開口部に液晶モジュールを取付け、フロントキャビネットの両側部にスピーカを取付け、液晶モジュールの背面に固定された配線基板にジャックホルダーを取付け、ジャックホルダーを露出させる切欠部が形成されたリアキャビネットをフロントキャビネットに接合して取付けたものが知られている。
【０００３】
このような液晶テレビにおいては、スピーカワイヤが邪魔にならないように、粘着テープ等を使用してスピーカワイヤをフロントキャビネットの裏面等に固定している。
【０００４】
一方、工具を使用しないでスピーカの取付け、取外しが可能なスピーカ取付構造として、所定のスピーカ支持面にスピーカを固定するスピーカ取付構造であって、スピーカ支持面の周辺近傍に突設された複数の棒状ボスと、これらの棒状ボスに嵌合され、スピーカを係止するための係止片を有する係止部材とを備え、この係止面によってスピーカのフランジ部をスピーカ支持面に固定するようにしたものが知られている（特許文献１）。
【０００５】
また、テレビ受像機の筐体の前面枠の側面壁の左右側部の内面に支持桟を形成し、この間にスピーカユニットを挿入して、スピーカの振動を抑制したスピーカの固定構造（特許文献２）や、スピーカボックスの前後方向に略コ字の凹溝を形成し、その溝の途中にビス締め用の穴があいた固定リブを設けて、スピーカボックスをキャビネットに取付ける際の作業性を向上させたテレビ受像機のスピーカ装置（特許文献３）なども知られている。
【特許文献１】特開２０００−３０７９７４号公報
【特許文献２】特開平８−１１６５８２号公報
【特許文献３】特開平４−５３３７２号公報
【発明の開示】
【発明が解決しようとする課題】
【０００６】
しかしながら、従来の液晶テレビのように、スピーカワイヤを粘着テープ等でフロントキャビネットの裏面等に固定する場合は、粘着テープを用いるため部品点数と組立工数が増加して、コストアップを招くという問題があった。そして、粘着テープが経時的に劣化すると、粘着テープが剥がれてスピーカワイヤを固定できなくなるという問題もあった。
【０００７】
これに対し、前記特許文献１〜３のスピーカ関連技術は、スピーカワイヤの引き回しについての開示がないため、上記の問題を解決するのに何の役にも立たない。
【０００８】
本発明は上記事情の下になされたもので、その解決しようとする課題は、粘着テープ等を使用しないでスピーカワイヤを確実に固定することができ、そのため部品点数及び組立工数を削減してコストダウンを図ることができる液晶テレビを提供することにある。
【課題を解決するための手段】
【０００９】
上記課題を解決するため、本発明に係る液晶テレビは、フロントキャビネットの開口部に液晶モジュールを取付け、フロントキャビネットの両側部にスピーカを取付け、液晶モジュールの背面に固定された配線基板にジャックホルダーを取付け、ジャックホルダーを露出させる切欠部が形成されたリアキャビネットをフロントキャビネットに接合して取付けた液晶テレビにおいて、上記ジャックホルダーにワイヤ掛止部を形成し、このワイヤ掛止部に片方のスピーカのワイヤを掛止したことを特徴とするものである。
【００１０】
本発明の液晶テレビにおいては、ワイヤ掛止部をジャックホルダーの下端部に形成することが好ましく、また、ワイヤ掛止部をフック形状又は凹溝形状に形成することが好ましい。
【発明の効果】
【００１１】
本発明の液晶テレビのように、ジャックホルダーにワイヤ掛止部を形成し、このワイヤ掛止部に片方のスピーカのワイヤを掛止させると、スピーカワイヤを効率良く確実に固定することが可能となり、従来のように粘着テープでスピーカワイヤをフロントキャビネットに固定する必要がなくなるため、その分だけ部品点数及び組立工数を削減してコストダウンを図ることができる。そして、ワイヤ係止部に係止されたスピーカワイヤは、時間がたっても外れることがなく、固定状態を維持できる。
【００１２】
また、ワイヤ掛止部がジャックホルダーの下端部に形成されていると、スピーカワイヤをワイヤ掛止部に掛止させる作業がし易くなり、更に、ワイヤ掛止部がフック形状又は凹溝形状に形成されていると、スピーカワイヤがワイヤ掛止部から外れることが皆無に等しいので、確実に固定状態を維持することができる。
【発明を実施するための最良の形態】
【００１３】
以下、図面を参照して本発明の具体的な実施形態を詳述する。
【００１４】
図１は本発明の一実施形態に係る液晶テレビを斜め後方から見た概略分解斜視図、図２は同液晶テレビの概略横断面図、図３はリアフレームを省略した同液晶テレビの要部拡大背面図、図４は図３のＡ−Ａ線拡大断面図である。
【００１５】
この液晶テレビは、図１、図２に示すように、フロントキャビネット１、液晶モジュール２、左右一組のスピーカ３，３、配線基板４、ジャックホルダー５、リアキャビネット６などの主要部品で構成されたものであって、フロントキャビネット１の前面の開口部１ａには、液晶モジュール２が背後から取付けられている。この液晶モジュール２は、リアフレームの内部に光反射シート、冷陰極管などの線状光源、光学シート、液晶セルなどを内蔵し、その上からベゼルを被着したものである。
【００１６】
液晶モジュール２の背面には配線基板４が取付けられており、この配線基板４の片側端にはジャックホルダー５が取付けられている。このジャックホルダー５は、図２に示すようなＬ形のホルダーであって、配線基板４の片側端部に搭載されたチューナー７の入力端子やＲＣＡジャック８などの外部入力端子が、このジャックホルダー５の孔に挿通されている。
【００１７】
また、フロントキャビネット１の左右両側部にはスピーカ３，３が取付けられており、このスピーカのワイヤ３ａの先端のコネクタ部が上記の配線基板４に接続されている。尚、このスピーカワイヤ３ａの引き回しについては、後で詳しく説明する。
【００１８】
リアキャビネット６は、ジャックホルダー５を露出させる切欠部６ａ（図２を参照）が形成されたものであって、ジャックホルダー５が切欠部６ａから露出するように背後からフロントキャビネット１に取付けられている。
【００１９】
ジャックホルダー５が取付けられている側のスピーカ３のワイヤ３ａは、図２，図３に示すように、ジャックホルダー５の前面側（図３では裏側）に引き回され、ジャックホルダー５の下端に形成された複数（２つ）のワイヤ掛止部５ａ，５ａに掛止されて、邪魔にならないように保持、固定されている。
【００２０】
この実施形態におけるワイヤ掛止部５ａは、図４に示すように、ジャックホルダー５の下端を前向きに折り曲げると共に、更に上向きに折り曲げることによって、フック形状に形成されており、その上端には外れ防止用の凹曲部５ｂが形成されて、スピーカワイヤ３ａが外れないようになっている。このようなフック形状のワイヤ掛止部５ａの個数は２つに限定されるものではなく、１つでも３つ以上でもよい。また、ワイヤ掛止部は、凹溝形状に形成してもよい。
【００２１】
尚、この実施形態の液晶テレビでは、反対側のスピーカ３のワイヤをワイヤ掛止部に固定していないが、場合によっては、フロントキャビネット１のスピーカ取付部の近傍箇所にワイヤ掛止部を形成し、このワイヤ掛止部にスピーカワイヤを掛止させて邪魔にならないように引き回しすることが望ましい。
【００２２】
上記構成の液晶テレビは、ジャックホルダー５の下端に形成されたワイヤ掛止部５ａに片方のスピーカ３のワイヤ３ａを掛止させて確実に固定し、スピーカワイヤ３ａを邪魔にならないように引き回すため、従来のように粘着テープでスピーカワイヤをフロントキャビネットに固定する必要がなくなり、その分だけ部品点数及び組立工数を削減してコストダウンを図ることができる。そして、ワイヤ係止部５ａに係止されたスピーカワイヤ３ａは、粘着テープで固定する場合のように時間がたっても外れることがないので、いつまでも固定状態を維持できる。また、ワイヤ掛止部５ａがジャックホルダー５の下端部に形成されているので、スピーカワイヤ３ａをワイヤ掛止部５ａに掛止させる作業も容易である。
【図面の簡単な説明】
【００２３】
【図１】本発明の一実施形態に係る液晶テレビを斜め後方から見た概略分解斜視図である。
【図２】同液晶テレビの概略横断面図である。
【図３】リアフレームを省略した同液晶テレビの要部拡大背面図である。
【図４】図３のＡ−Ａ線拡大断面図である。
【符号の説明】
【００２４】
１    フロントキャビネット
２    液晶モジュール
３    スピーカ
３ａ  スピーカワイヤ
４    配線基板
５    ジャックホルダー
５ａ  ワイヤ掛止部
６    リアキャビネット
６ａ  切欠部
【図１】
2009038780.tif 000003
【図２】
2009038780.tif 000004
【図３】
2009038780.tif 000005
【図４】
2009038780.tif 000006